【手続補正書】
【提出日】平成19年8月13日(2007.8.13)
【手続補正１】
【補正対象書類名】明細書
【補正対象項目名】発明の名称
【補正方法】変更
【補正の内容】
【発明の名称】携帯情報端末機器による個人認証と決済の方法および情報処理装置並びに商品サーバおよび情報処理方法
【手続補正２】
【補正対象書類名】明細書
【補正対象項目名】特許請求の範囲
【補正方法】変更
【補正の内容】
【特許請求の範囲】
【請求項１】
携帯電話機、携帯情報機器に個人認証アクセスカードを挿入して、該機器上のキーあるいはブラウザをクリックする事によって、認証用のメールを自動発信し、該メールを受信したネット上の認証エージェントによって本人である事を確認し、該ネット上にあるＥＣ（電子決済）サイトより仮想ＵＲＬ（Ｕｎｉｆｏｒｍ  Ｒｅｓｏｕｒｃｅ  Ｌｏｃａｔｏｒ）を折り返し、メール発信元の該端末機器に返信して認証する事を特徴とする携帯情報端末機器による個人認証と決済の方法。
【請求項２】
個人認証を得た後、携帯電話機、携帯情報機器上のブラウザより同様な方法で決済メールをネット上の決済エージェントに送信し、折り返しメール発信元の該端末機器上に決済済みの仮想ＵＲＬをネット上のＥＣサイトより発信し、該端末機器上にてクリックとパスワードの入力手段によって決済を行うことを特徴とする請求項１に記載の携帯情報端末機器による個人認証と決済の方法。
【請求項３】
認証と決済依頼用のメールはインターネット網を介し、認証、決済用にＥＣサイトより発行する仮想ＵＲＬは電信電話会社の専用網を使用して安全性と機密性を確保することを特徴とする請求項１または請求項２に記載の携帯情報端末機器による個人認証と決済の方法。
【請求項４】
安全性と機密性の確保を目的として、認証、決済エージェント、ＥＣサイト、銀行及びカード会社間をＶＰＮ（Ｖｉｒｔｕａｌ  Ｐｒｉｖａｔｅ  Ｎｅｔｗｏｒｋ）と結んで認証と決済を迅速に行うことを特徴とする携帯情報端末機器による個人認証と決済の方法。
【請求項５】
個人認証アクセスカードとメールアドレスと該端末機器上から入力したパスワードによって、認証と決済を行うことを特徴とする請求項１または請求項２に記載の携帯情報端末機器による個人認証と決済の方法。
【請求項６】
個人認証アクセスカードはＩＤ番号、会員番号、有効期限、氏名を記載し事前登録を該ＥＣサイトに行って入手する手段と該カードを携帯機器に挿入して、空メールを認証エージェントに送り、ＥＣサイトより仮想ＵＲＬの返信を得て使用可能になる事を特徴とする携帯情報端末機器による個人認証と決済の方法。
【請求項７】
端末との間で通信可能なネットワークに接続され、携帯端末の利用料を引き落とす口座を用いて決済を行う決済サーバを支援する商品サーバであって、
携帯端末に関する端末情報は、当該携帯端末の利用料を引き落とす口座に関連付けられており、前記携帯端末における前記端末情報と宛先とを対応付けて記憶する記憶手段と、
端末からのアクセスにより前記携帯端末の前記宛先を確認するための項目を含む商品購入手続きを実行する商品購入手段と、
前記商品購入手段で確認された前記宛先に対して認証手続きを要求する認証要求手段と、
前記認証要求手段の要求先となる前記携帯端末からのアクセスがあった場合には、前記要求された認証手続きを実行する認証手段と、
前記認証手段で認証が得られた場合には、前記記憶手段を参照して、前記商品購入手続きで確認された前記宛先に対応する前記端末情報に前記商品購入手続きに基づく商品購入額を関連付けた情報を前記決済サーバに通知する決済通知手段と、を備えたことを特徴とする商品サーバ。
【請求項８】
前記記憶手段に記憶される前記宛先はメールアドレスであり、前記認証要求手段の要求は前記メールアドレスに対してメールで送信することを特徴とする請求項７に記載の商品サーバ。
【請求項９】
前記認証要求手段は、前記認証手続きを行うためのアクセス権はＵＲＬによって付与されることを特徴とする請求項７または請求項８に記載の商品サーバ。
【請求項１０】
少なくとも携帯端末と通信する通信手段と、
上記携帯端末の利用者情報、カード情報を複数記憶する記憶手段と、
上記携帯端末からの認証情報と上記記憶手段に記憶された利用者情報とを照合し、両者が一致した場合には上記通信手段によりサービス選択画面の情報に基づいて上記携帯端末に送信して、サービス選択情報の入力を促し、
上記携帯端末からの選択済サービス情報を上記通信手段にて受信すると、当該選択済サービス情報に対応するカード情報に所定の処理を施した後、上記通信手段を介して上記携帯端末に送信して当該情報に基づく表示を促す、ように制御する制御手段と、を具備することを特徴とする情報処理装置。
【請求項１１】
少なくとも携帯端末及びサーバと通信する通信手段と、
少なくとも上記携帯端末の利用者情報及びサービス情報を、複数記憶する記憶手段と、
上記携帯端末からの認証情報と上記記憶手段に記憶された利用者情報とを照合し、両者が一致した場合には上記通信手段によりサービス選択画面の情報に基づいて上記携帯端末に送信して、サービス選択情報の入力を促し、
上記携帯端末からの選択済サービス情報を上記通信手段にて受信すると、当該選択済サービス情報により特定されるサーバに上記通信手段を介して上記利用者情報に含まれる照合識別情報を送信し、
上記サーバからの当該照合識別情報に対応するカード情報を上記通信手段にて受信すると、当該カード情報に所定の処理を施した後、上記通信手段を介して上記携帯端末に送信して当該情報に基づく表示を促す、ように制御する制御手段と、を具備することを特徴とする情報処理装置。
【請求項１２】
上記認証情報は、携帯端末固有の個体識別情報とパスワードとからなることを特徴とする請求項１０又は請求項１１に記載の情報処理装置。
【請求項１３】
上記記憶手段には、各サービスが決済機能を有するか否かを示す決済機能有無情報が上記サービス情報と関連付けて記憶されており、
上記制御手段は、当該決済機能有無情報に基づいて携帯端末へ送信すべきカード情報が決済機能を有するか否かを判断し、カード情報が決済機能を有するカードに係るものである場合には第１の処理を施し、カード情報が決済機能を有しないカードに係るものである場合には第２の処理を施し、携帯端末へ送信するよう制御する、ことを特徴とする請求項１０から請求項１２のいずれかに記載の情報処理装置。
【請求項１４】
上記記憶手段には、上記サービス情報に対応した決済先を示す決済先情報が上記サービス情報と関連付けて記憶されており、
上記制御手段は、携帯端末へ送信すべきカード情報に関連する決済先情報が記憶されている場合には、当該決済先情報に基づいて所定の決済処理を更に行う、ことを特徴とする請求項１０から請求項１３のいずれかに記載の情報処理装置。
【請求項１５】
携帯端末と通信自在な情報処理装置により、
上記携帯端末からの認証情報と上記記憶手段に記憶された利用者情報とを照合し、両者が一致した場合には上記通信手段によりサービス選択画面の情報に基づき上記携帯端末に送信して、サービス選択情報の入力を促し、
上記携帯端末からの選択済サービス情報を上記通信手段にて受信すると、当該選択済サービス情報に対応するカード情報に所定の処理を施した後、上記通信手段を介して上記携帯端末に送信して当該情報に基づく表示を促す、ことを特徴とする情報処理方法。
【請求項１６】
携帯端末及びサーバと通信自在な情報処理装置により、
上記携帯端末からの認証情報と利用者情報とを照合し、両者が一致した場合にはサービス選択画面のファイルを上記携帯端末に送信して、サービス選択情報の入力を促し、上記携帯端末からの選択済サービス情報を受信すると、当該選択済サービス情報により特定されるサーバに上記利用者情報に含まれる照合識別情報を送信し、上記サーバからの当該照合識別情報に対応するカード情報を受信すると、当該カード情報に所定の処理を施した後、上記携帯端末に送信して当該情報に基づく表示を促す、ことを特徴とする情報処理方法。
【請求項１７】
上記認証情報は、携帯端末固有の個体識別情報とパスワードとからなることを特徴とする請求項１５又は請求項１６に記載の情報処理方法。